(57)【要約】【課題】水で湿潤させると流動性が著しく低下するため、そのまま打錠することが困難であった貝殻焼成カルシウムからなる洗濯用洗浄組成物について、不織布製の袋を用いずに、計量や飛散の問題を解消することができるようにした貝殻焼成カルシウムを含有する洗濯用タブレット型洗浄組成物の製造方法を提供すること。【解決手段】貝殻焼成カルシウムを結合・崩壊剤と共に湿潤させて造粒する造粒工程と、該造粒工程による造粒した材料を賦形剤と共に打錠する打錠工程とからなる。【選択図】図１
2017101094.tif 000002
【特許請求の範囲】
【請求項１】
貝殻焼成カルシウムを結合・崩壊剤と共に湿潤させて造粒する造粒工程と、該造粒工程による造粒した材料を賦形剤と共に打錠する打錠工程とからなることを特徴とする貝殻焼成カルシウムを含有する洗濯用タブレット型洗浄組成物の製造方法。
【請求項２】
貝殻焼成カルシウムが、２０〜８０重量％含有されてなることを特徴とする請求項１に記載の貝殻焼成カルシウムを含有する洗濯用タブレット型洗浄組成物の製造方法。
【請求項３】
造粒工程において、湿潤させた材料を押出造粒法により造粒することを特徴とする請求項１又は２に記載の貝殻焼成カルシウムを含有する洗濯用タブレット型洗浄組成物の製造方法。
【請求項４】
造粒工程において、貝殻焼成カルシウム及び結合・崩壊剤にアルコールを添加することにより湿潤させることを特徴とする請求項１、２又は３に記載の貝殻焼成カルシウムを含有する洗濯用タブレット型洗浄組成物の製造方法。
【発明の詳細な説明】
【技術分野】
【０００１】
本発明は、家庭用や業務用の洗濯機等の洗濯槽内に投入して用いる貝殻焼成カルシウムからなる洗濯用洗浄組成物の製造方法に関し、特に、貝殻焼成カルシウムを含有する洗濯用タブレット型洗浄組成物の製造方法に関するものである。
【背景技術】
【０００２】
従来、家庭用や業務用の洗濯機等の洗濯槽内に、貝殻焼成カルシウムからなる洗濯用洗浄組成物を投入し、洗濯物と一緒に通常の洗濯を行うことによって、洗濯槽と洗濯物とを除菌消臭洗浄するようにすることが提案され、実用化されている。
【０００３】
ところで、従来のこの種の貝殻焼成カルシウムからなる洗濯用洗浄組成物は、粉末状のため、洗濯槽内に投入する際に計量する必要があり、また、飛散しやすいため、取り扱いにくいという問題があった。
【０００４】
この問題に対処するため、粉末状の貝殻焼成カルシウムからなる洗濯用洗浄組成物を、不織布製の袋に封入し、この袋ごと洗濯槽内に投入するものが提案されている（例えば、特許文献１〜３参照。）。
【先行技術文献】
【特許文献】
【０００５】
【特許文献１】特開２００４−１８０９９１号公報
【特許文献２】特開２００７−７３５４号公報
【特許文献３】特開２０１１−１５６２４３号公報
【発明の概要】
【発明が解決しようとする課題】
【０００６】
ところで、粉末状の貝殻焼成カルシウムからなる洗濯用洗浄組成物を、不織布製の袋に封入し、この袋ごと洗濯槽内に投入するようにすることによって、上記計量や飛散の問題を解消することができる反面、洗濯後、洗濯槽から不織布製の袋を取り出し、処分する必要があり、また、不織布製の袋のコストが製品に転嫁されるという問題があった。
【０００７】
一方、洗浄組成物には、タブレット型に成形したものも市販されているが、貝殻焼成カルシウムからなる洗濯用洗浄組成物は、水で湿潤させると流動性が著しく低下するため、そのまま打錠することが困難であった。
【０００８】
本発明は、上記従来の粉末状の貝殻焼成カルシウムからなる洗濯用洗浄組成物の有する問題点に鑑み、水で湿潤させると流動性が著しく低下するため、そのまま打錠することが困難であった貝殻焼成カルシウムからなる洗濯用洗浄組成物について、不織布製の袋を用いずに、計量や飛散の問題を解消することができるようにした貝殻焼成カルシウムを含有する洗濯用タブレット型洗浄組成物の製造方法を提供することを目的とする。
【課題を解決するための手段】
【０００９】
上記目的を達成するため、本発明の貝殻焼成カルシウムを含有する洗濯用タブレット型洗浄組成物の製造方法は、貝殻焼成カルシウムを結合・崩壊剤と共に湿潤させて造粒する造粒工程と、該造粒工程による造粒した材料を賦形剤と共に打錠する打錠工程とからなることを特徴とする。
【００１０】
この場合において、貝殻焼成カルシウムが、２０〜８０重量％含有されてなるようにすることができる。
【００１１】
また、造粒工程において、湿潤させた材料を押出造粒法により造粒することができる。
【００１２】
また、造粒工程において、貝殻焼成カルシウム及び結合・崩壊剤にアルコールを添加することにより湿潤させることができる。
【発明の効果】
【００１３】
本発明の貝殻焼成カルシウムを含有する洗濯用タブレット型洗浄組成物の製造方法によれば、貝殻焼成カルシウムを結合・崩壊剤と共に湿潤させて造粒する造粒工程と、該造粒工程による造粒した材料を賦形剤と共に打錠する打錠工程とからなることにより、水で湿潤させると流動性が著しく低下するため、そのまま打錠することが困難であった貝殻焼成カルシウムからなる洗濯用洗浄組成物を、打錠してタブレット型に成形することができるため、不織布製の袋を用いずに、計量や飛散の問題を解消することができる。
【図面の簡単な説明】
【００１４】
【図１】本発明の貝殻焼成カルシウムを含有する洗濯用タブレット型洗浄組成物の製造方法の一実施例を示すフロー図である。
【発明を実施するための形態】
【００１５】
以下、本発明の貝殻焼成カルシウムを含有する洗濯用タブレット型洗浄組成物の製造方法の実施の形態を説明する。
【００１６】
本発明の貝殻焼成カルシウムを含有する洗濯用タブレット型洗浄組成物の製造方法は、図１に示すように、貝殻焼成カルシウムを結合・崩壊剤と共に湿潤させて造粒する造粒工程と、該造粒工程による造粒した材料を賦形剤と共に打錠する打錠工程とからなる。
【００１７】
この場合において、洗濯用タブレット型洗浄組成物に含有される貝殻焼成カルシウムの原料としては、ホタテ貝、牡蠣、サザエ、ホッキ貝、ハマグリ、アサリ、シジミ等が挙げられるが、とりわけ大量に食消費されるホタテ貝や牡蠣の殻は、安価に入手できるとともに、廃物の有効利用として省資源及び環境保全にも貢献できるため、好適なものとして推奨される。
【００１８】
貝殻の焼成は、ロータリーキルンや大型燃焼炉等を用いて行うが、好適には不活性ガス雰囲気として、温度８００〜１１００℃程度で３０分〜３時間程度加熱すればよい。また、粉砕・焼成物の粒度としては、特に制限されるものではないが、平均粒度が２０〜７００μｍ程度の範囲のものが望ましい。
【００１９】
また、洗濯用タブレット型洗浄組成物に含有される貝殻焼成カルシウムの含有量は、造粒工程及び打錠工程を円滑に行うことができるようにするとともに、洗濯槽内に投入し、洗濯物と一緒に通常の洗濯を行うようにしたとき、容易に崩壊するように、２０〜８０重量％、好ましくは、２５〜５０重量％に設定するようにすることが好ましい。
【００２０】
また、造粒工程において、湿潤させた材料の造粒は、押出造粒法、転動造粒法、撹拌造粒法等の公知の造粒法により造粒することができるが、均一な粒形状、具体的には、顆粒状に造粒することができる押出造粒法を好適に用いることができる。
【００２１】
また、造粒工程において、貝殻焼成カルシウムに添加する結合・崩壊剤としては、結晶セルロースやデンプンを好適に用いることができる。
貝殻焼成カルシウムに対する結合・崩壊剤の添加量は、５〜２０重量％に設定するようにすることが好ましい。
【００２２】
また、造粒工程において、貝殻焼成カルシウム及び結合・崩壊剤を湿潤させるために添加する液体としては、水、アルコール等の湿潤剤を用いることができるが、貝殻焼成カルシウムと結合・崩壊剤とを均一に混合するとともに、必要な流動性を得ることができ、かつ、造粒した材料の乾燥時間を短縮できるアルコールを好適に用いることができる。
ここで、湿潤剤にアルコールを用いた場合には、造粒した材料の乾燥を防爆環境で行うようにする。
【００２３】
また、打錠工程において、造粒した材料に添加する賦形剤としては、タブレット型に打錠された製品の保形性（硬度）及び使用時の良好な崩壊性を発現できるマルトース等の糖類やデンプンを好適に用いることができる。
貝殻焼成カルシウムに対する賦形剤の添加量は、１００〜３００重量％に設定するようにすることが好ましい。
【００２４】
また、打錠工程において、造粒した材料には、結合剤、滑沢剤等の適宜の添加剤を添加するようにする。
【００２５】
次に、本発明の貝殻焼成カルシウムを含有する洗濯用タブレット型洗浄組成物の製造方法によって製造された洗濯用タブレット型洗浄組成物の一例を説明する。
［洗濯用タブレット型洗浄組成物］
剤形：直径１８ｍｍ、厚さ６．２ｍｍのタブレット型
重量：２ｇ
成分：表１のとおり
【００２６】
【表１】
2017101094.tif 000003
【００２７】
以上のとおり、この貝殻焼成カルシウムを含有する洗濯用タブレット型洗浄組成物の製造方法は、貝殻焼成カルシウムを結合・崩壊剤と共に湿潤させて造粒する造粒工程と、該造粒工程による造粒した材料を賦形剤と共に打錠する打錠工程とからなり、これにより、水で湿潤させると流動性が著しく低下するため、そのまま打錠することが困難であった貝殻焼成カルシウムからなる洗濯用洗浄組成物を、打錠してタブレット型に成形することができるため、不織布製の袋を用いずに、計量や飛散の問題を解消することができる。
【００２８】
以上、本発明の貝殻焼成カルシウムを含有する洗濯用タブレット型洗浄組成物の製造方法について、その実施形態に基づいて説明したが、本発明は上記実施形態に記載した構成に限定されるものではなく、その趣旨を逸脱しない範囲において適宜その構成を変更することができるものである。
【産業上の利用可能性】
【００２９】
本発明の貝殻焼成カルシウムを含有する洗濯用タブレット型洗浄組成物の製造方法は、水で湿潤させると流動性が著しく低下するため、そのまま打錠することが困難であった貝殻焼成カルシウムからなる洗濯用洗浄組成物を、打錠してタブレット型に成形することができ、これにより、不織布製の袋を用いずに、計量や飛散の問題を解消することができることから、貝殻焼成カルシウムからなる洗濯用洗浄組成物の製造の用途に好適に用いることができる。
【図１】
2017101094.tif 000004